(57)【要約】【課題】精細さを損なわず、高精細な印刷を可能とするグラビア印刷版を提供し、この印刷版を用いて、より偽造防止性と装飾性を高めるパターン反射層を有する反射体及びこの反射体が形成されるデバイス及びこのデバイスを用いた媒体の提供にある。【解決手段】グラビア用網点セルでなる画線部２２と非画線部２３との境界域に破線状のセル２１が施されているグラビア印刷版１とし、このグラビア印刷版１を用い、基材面の反射層がエッチング法によりパターン反射層とした反射体とし、この反射体に接着剤を塗布したデバイスとするものである。【選択図】図２
2005047217.tif 000002
【特許請求の範囲】
【請求項１】
グラビア用網点セルでなる画線部とグラビア用網点セルのない非画線部との境界域に破線状のセルが施されていることを特徴とするグラビア印刷版。
【請求項２】
上記請求項１に記載のグラビア印刷版を用い、基材面に水洗可能なグラビアインキでネガパターンが印刷され、該基材面に前記ネガパターン上より反射層が形成され、該ネガパターンをリフトオフ材としてその上にある反射層が水で洗い流して取り除かれてポジパターンの反射層が形成されていることを特徴とするパターン反射層を有する反射体。
【請求項３】
上記請求項１に記載のグラビア印刷版を用い、基材面に形成された反射層上にマスク剤用インキでエッチングマスク用ポジパターンが印刷され、該エッチングマスク用ポジパターンが印刷されていない反射層がエッチングされてポジパターンの反射層が形成されていることを特徴とするパターン反射層を有する反射体。
【請求項４】
上記パターン反射層に回折構造が形成されていることを特徴とする請求項２または３記載のパターン反射層を有する反射体。
【請求項５】
基材上に、少なくとも剥離層と、その上に請求項２乃至４のいずれかに記載のパターン反射層を有する反射体が形成され、その上に接着層が順に設けられていることを特徴とするデバイス。
【請求項６】
基材上に、少なくとも請求項２乃至４のいずれかに記載のパターン反射層を有する反射体が形成され、その上に粘着層が形成されていることを特徴とするデバイス。
【請求項７】
上記請求項５または６に記載のデバイスを用いて形成された媒体であって、前記デバイスのパターン反射層が転写、貼付、あるいは紙への漉き込みのうちのいずれか１種以上の形態により使用されていることを特徴とするデバイスを用いた媒体。
【発明の詳細な説明】
【技術分野】
【０００１】
本発明は、証券媒体などのセキュリティー印刷物に用いるマイクロ文字やレリーフ、万線などの高精細性を要求される印刷物を印刷する際に用いるグラビア印刷版およびこの印刷版を用いて高精細性の偽造防止や装飾のためのパターン反射層を備えたデバイスおよびそのデバイスを用いた媒体に関するものである。
【背景技術】
【０００２】
従来、グラビアの製版工程において、画像がセルサイズと同等もしくは小さい部分まで求められる印刷では、小さな画像や文字全体、細い線、大きな絵柄のアウトライン部分などの一部をスクリーンを抜くことにより、高精細な印刷が可能なグラビア印刷版がある。また、上記のような高精細な印刷が可能なグラビア印刷版を用いて偽造防止や装飾のためのパターン反射層を備えたデバイス（有価証券等）がある。
【発明の開示】
【発明が解決しようとする課題】
【０００３】
しかし、従来の上記の如くグラビア印刷版での印刷では、スクリーンが抜かれた（ない）部分が連続した場合、ドクターブレードの当て方やインキの性質によっては、インキがこの印刷版から印刷基材に転移しにくい部分が発生し、より精細さを損なうことがあるという問題点があった。
【０００４】
そこで、本発明では、たとえ、従来ならば、より精細さを損なうような場合であったとしても、その精細さを損なわず、高精細な印刷を可能とするグラビア印刷版を提供し、このグラビア印刷版を用いて、より偽造防止性と装飾性を高めるパターン反射層を有する反射体及びこの反射体が形成されるデバイス及びこのデバイスを用いた媒体を提供することにある。
【課題を解決するための手段】
【０００５】
本発明に於いて上記課題を達成するために、まず請求項１の発明では、グラビア用網点セルでなる画線部とグラビア用網点セルのない非画線部との境界域に破線状のセルが施されていることを特徴とするグラビア印刷版としたものである。
【０００６】
また、請求項２の発明では、上記請求項１に記載のグラビア印刷版を用い、基材面に水洗可能なグラビアインキでネガパターンが印刷され、該基材面に前記ネガパターン上より反射層が形成され、該ネガパターンをリフトオフ材としてその上にある反射層が水で洗い流して取り除かれてポジパターンの反射層が形成されていることを特徴とするパターン反射層を有する反射体としたものである。
【０００７】
また、請求項３の発明では、上記請求項１に記載のグラビア印刷版を用い、基材面に形成された反射層上にマスク剤用インキでエッチングマスク用ポジパターンが印刷され、該エッチングマスク用ポジパターンが印刷されていない反射層がエッチングされてポジパターンの反射層が形成されていることを特徴とするパターン反射層を有する反射体としたものである。
【０００８】
また、請求項４の発明では、上記パターン反射層に回折構造が形成されていることを特徴とする請求項２または３記載のパターン反射層を有する反射体としたものである。
【０００９】
また、請求項５の発明では、基材上に、少なくとも剥離層と、その上に請求項２乃至４のいずれかに記載のパターン反射層を有する反射体が形成され、その上に接着層が順に設けられていることを特徴とするデバイスとしたものである。
【００１０】
また、請求項６の発明では、基材上に、少なくとも請求項２乃至４のいずれかに記載のパターン反射層を有する反射体が形成され、その上に粘着層が形成されていることを特徴とするデバイスとしたものである。
【００１１】
さらにまた、請求項７の発明では、上記請求項５または６に記載のデバイスを用いて形成された媒体であって、前記デバイスのパターン反射層が転写、貼付、あるいは紙への漉き込みのうちのいずれか１種以上の形態により使用されていることを特徴とするデバイスを用いた媒体としたものである。
【発明の効果】
【００１２】
本発明は以上の構成であるから、下記に示す如き効果がある。
【００１３】
即ち、上記請求項１に係る発明によれば、グラビア用網点セルでなる画線部とグラビア用網点セルのない非画線部との境界域に破線状のセルが施されているので、印刷された印刷物の画線部と非画線部との境界部分のエッジがギザギザにならず、かつ破線状のセル（即ち細長いセル間に土手を設けたもの）とすることによって、この破線状のセルの方向がなす角度がいずれの角度であっても、ドクターによりこの破線状のセル中のインキを掻き取り易く、必要なインキのみ版面に残るようになり、よってエッジが滑らかで高精細な印刷が可能なグラビア印刷版を提供できる効果がある。
【００１４】
また、上記請求項２に係る発明によれば、上記請求項１に記載のグラビア印刷版を用い、基材面に水洗可能なグラビアインキでネガパターンを印刷し、該基材面に前記ネガパターン上より反射層を形成し、該ネガパターンをリフトオフ材としてその上にある反射層を水で洗い流して取り除いてポジパターンの反射層を形成して（以下水洗法という）パターン反射層を有する反射体としたので、エッジが滑らかで高精細なパターンでなるパターン反射層を有する反射体とすることができる効果がある。
【００１５】
また、上記請求項３に係る発明によれば、上記請求項１に記載のグラビア印刷版を用い、基材面に形成された反射層上にマスク剤用インキでエッチングマスク用ポジパターンを印刷し、該エッチングマスク用ポジパターンが印刷されていない反射層をエッチングしてポジパターンの反射層を形成して（以下エッチング法という）パターン反射層を有する反射体としたので、エッジが滑らかで高精細なパターンでなるパターン反射層を有する反射体とすることができる効果がある。
【００１６】
また、上記請求項４に係る発明によれば、上記パターン反射層に回折構造を形成したパターン反射層を有する反射体としたので、エッジが滑らかで高精細なパターンで、かつ偽造防止性と装飾性に優れたパターン反射層を有する反射体とすることができる。
【００１７】
また、上記請求項５に係る発明によれば、基材上に、少なくとも剥離層と、その上に上記のエッジが滑らかで高精細なパターンでなるパターン反射層を有する反射体を形成し、その上に接着層を順に設けたデバイスとしたので、エッジが滑らかで高精細なパターンで、かつ偽造防止性と装飾性に優れたパターン反射層を有する反射体が形成されたデバイスとすることができる。
【００１８】
また、上記請求項６に係る発明によれば、基材上に、少なくとも上記のエッジが滑らかで高精細なパターンでなるパターン反射層を有する反射体を形成し、その上に粘着層を形
成したデバイスとしたので、エッジが滑らかで高精細なパターンで、かつ偽造防止性と装飾性に優れたパターン反射層を有する反射体が形成されたデバイスを提供できる。
【００１９】
さらにまた、上記請求項７に係る発明によれば、上記デバイスを用いて形成された媒体であって、このデバイスのパターン反射層が転写、貼付、あるいは紙への漉き込みのうちのいずれか１種以上の形態により使用したデバイスを用いた媒体としたので、エッジが滑らかで高精細なパターンで、かつ偽造防止性と装飾性に優れたパターン反射層を有する反射体が形成されたデバイスを用いた媒体を提供できる効果がある。
【発明を実施するための最良の形態】
【００２０】
以下本発明を実施するための最良の形態を図面を用いて詳細に説明する。
【００２１】
図１は、画線部と非画線部の境界域に破線状のセルを設けたグラビア印刷版の一事例を示す平面図であり、図２は、図１のＡの拡大図である。
【００２２】
グラビア印刷版を製版する際、画線部と非画線部の境界部分のエッジがギザギザになるのを防ぐ為、アウトラインを凹部で繋いだフレームを設けることにより、エッジをスムーズにすることは可能である。
【００２３】
しかし、ドクターがインキを掻き取る方向とフレームを設けた方向がなす角度により、インキが印刷基材に転移しにくい状況が発生し、エッジがスムーズ（滑らか）にならないことがある。これは、フレームが連続して繋がった溝（細長いセル）であるため、ドクターによりその中のインキが必要以上に掻き取られ易く、必要なインキが版面に残らないためである。
【００２４】
上記請求項１に係る発明では、図２に示すように、版面が画線部（２２）と非画線部（２３）とでなり、その境界域のフレームを画線部（２２）のセルから独立させ、さらに適当な間隔で区切ることにより、インキが掻きとられ過ぎないように境界域に破線状のセル（２１）を設けたグラビア印刷版（１）とするものである。
【００２５】
上記境界部の破線状のセル（２１）は、印刷物のエッジをスムーズにするために、セル容量を揃え、着肉を安定させることが望ましい。セル容量としては、画線部（２２）のセルの０．１から２倍程度の容量が好ましい。
【００２６】
また、上記請求項２または３に係る発明で対象とする反射層としては、金属および合金、もしくは、高屈折率の透明セラミックスである。金属および合金の例としては、Ａｌ、Ｓｎ、Ｃｒ、Ｎｉ、Ｃｕ、Ａｕ、インコネル、ステンレス、ジュラルミンなどが、また、高屈折率の透明セラミックスとしては、ＴｉＯ２、ＳｉＯ２、ＳｉＯ、Ｆｅ２Ｏ３、ＺｎＳなどが挙げられる。
【００２７】
これらの材料を反射層として形成するには、蒸着法、スパッタリング法、イオンプレーティング法などを用いることができる。
【００２８】
これら反射層をパターン状に加工するには、上記請求項２に係る発明の水洗法もしくは上記請求項３に係る発明のエッチング法が用いられる。
【００２９】
上記水洗法は、基材上に水洗可能なグラビアインキを、予めネガパターンで印刷しておき、この上全面に反射層を形成し、上記水洗可能なグラビアインキを水で洗い流す（リフトオフする）と同時に反射層を取り除くことによりパターン状の薄膜を形成する方法である。
【００３０】
また、上記エッチング法は、基材上に反射層を形成し、マスク剤用インキをポジパターンで印刷し、マスキングされていない部分を腐食液を用いて腐食して取り除くことによりパターン状の金属薄膜を形成する方法である。このエッチング法は、反射層を腐食するのに適当な腐食液がない場合には、用いることができない。
【００３１】
上記水洗法の水洗可能なインキによる印刷もしくはエッチング法のマスク剤用インキによる印刷は、インキ選択の幅広さ、盛量の制御しやすさ、加工速度の速さから、グラビア印刷により行われる。
【００３２】
また、上記請求項４に係る発明のパターン状の反射層を有する反射体は、回折構造形成体の反射層として用いるものである。
【００３３】
上記回折構造形成体としては、一般にホログラムと回折格子に分けられ、このホログラムは、光学的な撮影方法により微細な凹凸パターンからなるレリーフ型のマスター版を作製し、次に、このマスター版から電気メッキ法により凹凸パターンを複製したニッケル製のプレス版を作製し、そして、このプレス版をホログラムを形成する層上に加熱押圧するという方法により大量複製が行われる。このタイプのホログラムはレリーフ型ホログラムと称されている。
【００３４】
また、回折格子を用いたものは、実際のものを撮影するホログラムとは異なり、微少なエリアに複数種類の単純な回折格子を配置して画素とし、グレーティングイメージ、ドットマトリックス（ピクセルグラム等）と呼ばれる画像を表現するものである。このような回折格子を用いた画像は、レリーフ型ホログラムと同様な方法で大量複製が行われている。
【００３５】
また、上記請求項５及び６に係る発明のパターン状の反射層を有する反射体が形成されたデバイスとしては、例えば反射体の上に接着剤が塗布された転写箔、及び反射体の上に粘着剤が設けられているステッカーとすることができる。
【００３６】
上記転写箔は、基材に剥離保護層を塗工し、上記の反射層を形成し、接着層を塗工する。ホログラム等の回折構造を形成する場合には、剥離保護層の上に熱成形性を考慮した回折構造形成層を設けることができる。
【００３７】
上記請求項７に係る発明は、これらの転写箔が転写された媒体であり、この媒体に転写するには、例えばホットスタンプなどの転写機を用いることができる。
【００３８】
また、上記ステッカーは、基材に上記の反射層を形成し、粘着層を塗工する。ホログラム等の回折構造を形成する場合には、基材に熱成形性を考慮した回折構造形成層を設けることができる。
【００３９】
上記請求項７に係る発明は、これらのステッカーが貼付された媒体である。
【００４０】
また、上記請求項７に係る発明は、例えば、上記転写箔やステッカー等デバイスを
１から５ｍｍ程度の幅にスリットし、紙に漉き込んで漉き込み安全線として偽造防止性を高めた媒体とすることもできる。
【００４１】
上記漉き込む方法としては、完全に紙の中に漉き込む方法と少なくとも片面の少なくとも一部に窓を開け、直接見えるように漉き込む方法のどちらでもかまわない。これら漉き込み安全線を漉き込んだ紙を媒体の基材として用いることができる。
【００４２】
これら媒体は、紙幣、商品券、株券、パスポート、免許証、カードなどの有価証券、認証媒体もしくはこれらに準ずる媒体に転写、貼付、漉き込むことにより、媒体の偽造防止性および装飾性を向上させることができる。
【実施例１】
【００４３】
厚さ１６μｍのＰＥＴ原反に、アクリル系樹脂の剥離保護層をグラビアコーティング法を用いて、２μｍの膜厚で塗工し、ウレタン系樹脂の剥離保護層をグラビアコーティング法を用いて、０．５μｍの膜厚で塗工した。
【００４４】
上記で得られた原反に、ニッケル製のホログラム版を取り付けたエンボス機を用いてホログラム画像を形成した。このホログラム画像の成型面にアルミニウムを蒸着し、本発明のグラビア印刷版を用いマスク剤用インキで印刷を行い、水酸化ナトリウム溶液中で現像と同時にエッチングを行い、パターン状の反射層を有する回折構造形成体（反射体）を得た。
【００４５】
上記反射体の上にアクリル系樹脂の接着層をグラビアコーティング法を用いて２μｍの膜厚で塗工し、ホログラム画像でなる回折構造体の転写箔を得た。
【００４６】
上記で得られたホログラム画像でなる回折構造体の転写箔をホットスタンプを用いて商品券に転写した。
【００４７】
その結果、エッジが滑らかで精細なパターン状の反射層を有する回折構造形成体転写箔が転写された商品券が得られた。この商品券は、装飾性および偽造防止（セキュリティー）性に優れたものであった。
【図面の簡単な説明】
【００４８】
【図１】本発明のグラビア印刷版の一実施の形態を示す正面図である。
【図２】図１に示すグラビア印刷版の一部の拡大図である。
【符号の説明】
【００４９】
１‥‥グラビア印刷版
２１‥‥グラビア印刷版の破線状のセル
２２‥‥グラビア印刷版の画線部
２３‥‥グラビア印刷版の非画線部
【図１】
2005047217.tif 000003
【図２】
2005047217.tif 000004